【手続補正書】
【提出日】平成23年9月27日(2011.9.27)
【手続補正１】
【補正対象書類名】特許請求の範囲
【補正対象項目名】請求項３
【補正方法】変更
【補正の内容】
【請求項３】
複数の加入者側装置と一つの局側装置間で、時間領域、１つ又は複数の波長領域及び複数の芯線を共用し、受動光分岐回路を利用して信号光を送受信する光通信システムであって、
前記加入者側装置の光送信機が、同一光送信機の１回の申告に対して割り当てうる波長数と芯線数の積の最大数と、同一割当周期に割当対象となる光送信機の数から１を減じた値のうち小さい方の数以上を閾値の個数とし、
当該閾値を、前段の閾値に応じて申告した申告フレームの境目の値に、割り当てうる送信許可の最大値を加えた値を閾値として設定する閾値設定部と、
それぞれ設定された閾値以下で閾値にもっとも近いデータフレームの境目及び総バッファ長を申告する申告部と、
を備えることを特徴とする光通信システム。
【手続補正２】
【補正対象書類名】特許請求の範囲
【補正対象項目名】請求項４
【補正方法】変更
【補正の内容】
【請求項４】
前記局側装置の光受信機が、信号光を芯線ごとにそれぞれ受光する複数の受光器を備え、時間領域、複数の波長領域及び複数の芯線を共用する場合、各受光器が、信号光を波長ごとに分波して分波信号光を出力する光合分波器と、当該光合分波器からの分波信号光をそれぞれ受光する波長毎受光器を備えることを特徴とする請求項３に記載の光通信システム。
【手続補正３】
【補正対象書類名】特許請求の範囲
【補正対象項目名】請求項５
【補正方法】変更
【補正の内容】
【請求項５】
複数の加入者側装置と一つの局側装置間で、時間領域、１つ又は複数の波長領域及び１つ又は複数の芯線を共用し、受動光分岐回路を利用して信号光を送受信する光通信システムであって、
前記加入者側装置の光送信機が、同一光送信機の１回の申告に対して割り当てうる優先度の異なるクラスと波長数と芯線数の積の最大数と、同一割当周期に割当対象となる光送信機の数から１を減じた値のうち小さい方の数以上を閾値の個数とし、
当該閾値を、前段の閾値に応じて申告した申告フレームの境目の値に、割り当てうる送信許可の最大値を加えた値を閾値として設定する閾値設定部と、
それぞれ設定された閾値以下で閾値にもっとも近いデータフレームの境目及び総バッファ長を申告する申告部と、
を備えることを特徴とする光通信システム。
【手続補正４】
【補正対象書類名】特許請求の範囲
【補正対象項目名】請求項７
【補正方法】変更
【補正の内容】
【請求項７】
複数の加入者側装置と一つの局側装置間で、時間領域、１つ又は複数の波長領域及び複数の芯線を共用し、受動光分岐回路を利用して信号光を送受信する光通信方法であって、
前記加入者側装置の光送信機が、同一光送信機の１回の申告に対して割り当てうる波長数と芯線数の積の最大数と、同一割当周期に割当対象となる光送信機の数から１を減じた値のうち小さい方の数以上を閾値の個数とし、当該閾値を、前段の閾値に応じて申告した申告フレームの境目の値に、割り当てうる送信許可の最大値を加えた値を閾値として設定し、それぞれ設定された閾値以下で閾値にもっとも近いデータフレームの境目及び総バッファ長を申告することを特徴とする光通信方法。
【手続補正５】
【補正対象書類名】特許請求の範囲
【補正対象項目名】請求項８
【補正方法】変更
【補正の内容】
【請求項８】
複数の加入者側装置と一つの局側装置間で、時間領域、１つ又は複数の波長領域及び１つ又は複数の芯線を共用し、受動光分岐回路を利用して信号光を送受信する光通信方法であって、
前記加入者側装置の光送信機が、同一光送信機の１回の申告に対して割り当てうる優先度の異なるクラスと波長数と芯線数の積の最大数と、同一割当周期に割当対象となる光送信機の数から１を減じた値のうち小さい方の数以上を閾値の個数とし、
当該閾値を、前段の閾値に応じて申告した申告フレームの境目の値に、割り当てうる送信許可の最大値を加えた値を閾値として設定し、それぞれ設定された閾値以下で閾値にもっとも近いデータフレームの境目及び総バッファ長を申告することを特徴とする光通信方法。
【手続補正６】
【補正対象書類名】明細書
【補正対象項目名】００１５
【補正方法】変更
【補正の内容】
【００１５】
本発明の第２発明に係る光通信システムは、複数の加入者側装置と一つの局側装置間で、時間領域、１つ又は複数の波長領域及び複数の芯線を共用し、受動光分岐回路を利用して信号光を送受信する光通信システムであって、前記加入者側装置の光送信機が、同一光送信機の１回の申告に対して割り当てうる波長数と芯線数の積の最大数と、同一割当周期に割当対象となる光送信機の数から１を減じた値のうち小さい方の数以上を閾値の個数とし、当該閾値を、前段の閾値に応じて申告した申告フレームの境目の値に、割り当てうる送信許可の最大値を加えた値を閾値として設定する閾値設定部と、それぞれ設定された閾値以下で閾値にもっとも近いデータフレームの境目及び総バッファ長を申告する申告部と、を備えることを特徴とする。
【手続補正７】
【補正対象書類名】明細書
【補正対象項目名】００１６
【補正方法】変更
【補正の内容】
【００１６】
本発明の第２発明に係る光通信システムは、前記局側装置の光受信機が、信号光を芯線ごとにそれぞれ受光する複数の受光器を備え、時間領域、複数の波長領域及び複数の芯線を共用する場合、各受光器が、信号光を波長ごとに分波して分波信号光を出力する光合分波器と、当該光合分波器からの分波信号光をそれぞれ受光する波長毎受光器を備えることが好ましい。
【手続補正８】
【補正対象書類名】明細書
【補正対象項目名】００１７
【補正方法】変更
【補正の内容】
【００１７】
本発明の第３発明に係る光通信システムは、複数の加入者側装置と一つの局側装置間で、時間領域、１つ又は複数の波長領域及び１つ又は複数の芯線を共用し、受動光分岐回路を利用して信号光を送受信する光通信システムであって、前記加入者側装置の光送信機が、同一光送信機の１回の申告に対して割り当てうる優先度の異なるクラスと波長数と芯線数の積の最大数と、同一割当周期に割当対象となる光送信機の数から１を減じた値のうち小さい方の数以上を閾値の個数とし、当該閾値を、前段の閾値に応じて申告した申告フレームの境目の値に、割り当てうる送信許可の最大値を加えた値を閾値として設定する閾値設定部と、それぞれ設定された閾値以下で閾値にもっとも近いデータフレームの境目及び総バッファ長を申告する申告部と、を備えることを特徴とする。
【手続補正９】
【補正対象書類名】明細書
【補正対象項目名】００１９
【補正方法】変更
【補正の内容】
【００１９】
本発明の第５発明に係る光通信方法は、複数の加入者側装置と一つの局側装置間で、時間領域、１つ又は複数の波長領域及び複数の芯線を共用し、受動光分岐回路を利用して信号光を送受信する光通信方法であって、前記加入者側装置の光送信機が、同一光送信機の１回の申告に対して割り当てうる波長数と芯線数の積の最大数と、同一割当周期に割当対象となる光送信機の数から１を減じた値のうち小さい方の数以上を閾値の個数とし、当該閾値を、前段の閾値に応じて申告した申告フレームの境目の値に、割り当てうる送信許可の最大値を加えた値を閾値として設定し、それぞれ設定された閾値以下で閾値にもっとも近いデータフレームの境目及び総バッファ長を申告することを特徴とする。
【手続補正１０】
【補正対象書類名】明細書
【補正対象項目名】００２０
【補正方法】変更
【補正の内容】
【００２０】
本発明の第６発明に係る光通信方法は、複数の加入者側装置と一つの局側装置間で、時間領域、１つ又は複数の波長領域及び１つ又は複数の芯線を共用し、受動光分岐回路を利用して信号光を送受信する光通信方法であって、前記加入者側装置の光送信機が、同一光送信機の１回の申告に対して割り当てうる優先度の異なるクラスと波長数と芯線数の積の最大数と、同一割当周期に割当対象となる光送信機の数から１を減じた値のうち小さい方の数以上を閾値の個数とし、当該閾値を、前段の閾値に応じて申告した申告フレームの境目の値に、割り当てうる送信許可の最大値を加えた値を閾値として設定し、それぞれ設定された閾値以下で閾値にもっとも近いデータフレームの境目及び総バッファ長を申告することを特徴とする。